(57)【特許請求の範囲】
【請求項１】
ソレノイドの駆動力によりパチンコ玉を受け入れない起立状態とパチンコ玉を受け入れることができる傾斜状態とに変化可能な一対の開閉部材と、該一対の開閉部材の先端上部に配置されてパチンコ玉の通過を検出する検出スイッチと、を備えたパチンコ機の入賞装置において、
前記起立状態における前記一対の開閉部材の先端間隔を、前記検出スイッチを取り付けるスイッチ取付部の横幅寸法とほぼ同じ寸法となるように前記一対の開閉部材を軸支すると共に、前記一対の開閉部材の間であって前記傾斜状態で受け入れたパチンコ玉を一方の開閉部材に向けて誘導する誘導突起をいずれか一方の開閉部材の軸支部近傍に突設し、
さらに、前記一対の開閉部材の下方に設けられ且つ前記傾斜状態で受け入れたパチンコ玉を後方へ向けて誘導する誘導底面を円弧状に形成すると共に、中心線を挟んで前記誘導突起が設けられていない側の曲面半径を、中心線を挟んで前記誘導突起が設けられている側の曲面半径よりも大きく形成したことを特徴とするパチンコ機の入賞装置。
【発明の詳細な説明】
【０００１】
【発明の属する技術分野】
本発明は、ソレノイドの駆動力によりパチンコ玉を受け入れない起立状態とパチンコ玉を受け入れることができる傾斜状態とに変化可能な一対の開閉部材と、該一対の開閉部材の先端上部に配置されてパチンコ玉の通過を検出する検出スイッチと、を備えたパチンコ機の入賞装置に関するものである。
【０００２】
【従来の技術】
従来、パチンコ遊技機の遊技盤面に設けられる入賞装置であって、一対の開閉部材を備えた入賞装置においては、パチンコ玉を受け入れない起立状態では、その一対の開閉部材の先端間隔がパチンコ玉の直径よりも僅かに広い間隔になるように一対の開閉部材を軸支していた。しかし、このような入賞装置において、図９及び図１０に示すように、一対の開閉部材３０ａ，３０ｂの先端上部に検出スイッチ２４を接近して設置した場合、開閉部材３０ａ，３０ｂが開放してもパチンコ玉を受け入れ可能な傾斜状態でのスイッチ取付部１１の端面と開閉部材３０ａ，３０ｂとの間隔（図１０中Ａ寸法）が十分にとれず、パチンコ玉を容易に受け入れることができなかった。このため、起立状態での一対の開閉部材３０ａ，３０ｂの先端間隔を前述の間隔に保ち、且つ傾斜状態での検出スイッチ取付部の端面と開閉部材との間隔をパチンコ玉が通過できるようにするため、スイッチ１１と開閉部材３０ａ，３０ｂの先端との間隔が大きくなるように開閉部材３０ａ，３０ｂを軸支していた。
【０００３】
【発明が解決しようとする課題】
ところが、近年、図１に示すように、パチンコ遊技機１の遊技盤２に取り付けられる変動表示装置３等の役物や変動入賞球装置６のサイズが大きくなる傾向にある。変動表示装置３等の役物や変動入賞球装置６のサイズが大きくなると、変動表示装置３等の役物と変動入賞球装置６との間のスペースが十分にとれなくなり、その間に配置される入賞装置５の高さ寸法を小さくする必要がある。しかし、前述したように、スイッチ１１と開閉部材３０ａ，３０ｂの先端との間隔が大きくなるように開閉部材３０ａ，３０ｂを軸支した入賞装置５は、その高さ寸法が大きいため、配置することができないという欠点があった。本発明は、上記した事情に鑑みなされたもので、その目的とするところは、開閉部材の先端上部に検出スイッチを配置した場合でも高さ寸法を小さくすることができ、更に、パチンコ玉が入賞した場合に玉詰まりを起こすことのないパチンコ遊技機の入賞装置を提供することにある。
【０００４】
【課題を解決するための手段】
上記した目的を達成するために本発明が採用した具体的な解決手段を図面を参照して説明する。請求項１の発明においては、図５に示すように、ソレノイド４０の駆動力によりパチンコ玉を受け入れない起立状態とパチンコ玉を受け入れることができる傾斜状態とに変化可能な一対の開閉部材３０ａ，３０ｂと、該一対の開閉部材３０ａ，３０ｂの先端上部に配置されてパチンコ玉の通過を検出する検出スイッチ２４と、を備えたパチンコ遊技機１の入賞装置５において、前記起立状態における前記一対の開閉部材３０ａ，３０ｂの先端間隔を、前記検出スイッチ２４を取り付けるスイッチ取付部１１の横幅寸法とほぼ同じ寸法となるように前記一対の開閉部材３０ａ，３０ｂを軸支すると共に、一対の開閉部材３０ａ，３０ｂの間であって傾斜状態で受け入れたパチンコ玉を一方の開閉部材３０ａに向けて誘導する誘導突起２１を一方の開閉部材３０ａの軸支部近傍に突設し、一対の開閉部材３０ａ，３０ｂの下方に設けられ且つ前記傾斜状態で受け入れたパチンコ玉を後方へ向けて誘導する誘導底面３８を円弧状に形成すると共に、中心線を挟んで誘導突起２１が設けられていない側の曲面半径を、中心線を挟んで誘導突起２１が設けられている側の曲面半径よりも大きく形成したことを特徴とするものである。このように構成することにより、図７に示すように、一対の開閉部材３０ａ，３０ｂの先端とスイッチ取付部１１との間隔を大きくすることなく、傾斜状態でのスイッチ取付部１１の端面と開閉部材３０ａ，３０ｂとの間隔Ｂを十分にとることができ、パチンコ玉を容易に受け入れることができる。
【０００５】
また、２個のパチンコ玉が左右方向から同時に入賞装置５に入賞した場合、図７に示すように、誘導突起２１が突設された側のパチンコ玉が、誘導突起２１が突設されていない側へのパチンコ玉の上部に載置した段差状となるため、開閉部材３０ａ，３０ｂ内で２つのパチンコ玉が玉詰まりとなることはない。なお、誘導突起２１は、他方の開閉部材３０ｂの軸支部近傍に突設しても良い。
【０００６】
更に、図７に示すように、入賞装置５に入賞し誘導突起２１が設けられていない側で合流したパチンコ玉をスムーズに玉入口１３へ導入することができる。
【０００７】
【発明の実施の形態】
以下、図面を参照して、本発明の実施形態について説明する。まず、図１を参照して、パチンコ遊技機１の概要について説明する。図１は、実施形態に係る入賞装置５を装着したパチンコ遊技機１の正面図である。
【０００８】
図１に示すように、パチンコ遊技機１内の遊技盤２のほぼ中央部に変動表示装置３が配置され、その変動表示装置３の中央部には、図柄表示器４が設けられている。変動表示装置３の下方には、本実施形態の要部である入賞装置５が配置され、更に、入賞装置５の下方には、変動入賞球装置６が配置されている。
【０００９】
前記図柄表示器４には、様々な図柄等が表示されるものであるが、遊技中、パチンコ玉が、始動機能を有する入賞装置５（以下、始動入賞装置５という）に内蔵された検出スイッチ２４を通過すると図柄表示器４が始動する。図柄表示器４が始動した後、ある特定の図柄等が図柄表示器４に表示されると大当り状態となり、前記変動入賞球装置６が開放し、変動入賞球装置６がパチンコ玉を受け入れることができる状態になる。変動入賞球装置６は、所定時間（例えば、３０秒）が経過するか、その所定時間内に所定個数（例えば、１０個）の入賞玉が発生するまで開放し、そのような開放状態を変動入賞球装置６の内部に設けられるＶ入賞口（図示しない）に入賞することを条件として、所定回数（例えば、１６回）繰り返すことができるようになっている。
【００１０】
また、遊技盤２の下方には、払い出された賞品球を貯留する上皿７が設置され、上皿７の下方には、上皿７では貯留しきれない賞品球が払い出される下皿８が設置されている。また、下皿８の右側方には、パチンコ玉を発射させるためのハンドル９が設置されている。
【００１１】
以上、パチンコ遊技機１の概要について説明したが、次に、本実施形態の要部である始動入賞装置５について図２乃至図８を参照して説明する。図２は、始動入賞装置５の分解斜視図であり、図３は、パチンコ玉を受け入れることができる状態（以下、傾斜状態という）における始動入賞装置５の側方の断面図であり、図４は、パチンコ玉を受け入れない状態（以下、起立状態という）における始動入賞装置５の側方の断面図であり、図５は、起立状態における始動入賞装置５において、誘導底面３８を付け根部分で切断した正面図であり、図６は、誘導底面３８の曲面半径の違いによる、上下のパチンコ玉の状態の違いを表す誘導底面３８の部分拡大図であり、図７は、傾斜状態におけるパチンコ玉が入賞した場合の始動入賞装置５において、誘導底面３８を付け根部分で切断した正面図であり、図８は、傾斜状態におけるパチンコ玉が入賞した場合の誘導突起２１が設けられていない始動入賞装置５において、誘導底面３８の付け根部分で切断した正面図である。
【００１２】
図２において、始動入賞装置５は、パチンコ遊技機１の遊技盤２の表面に取り付けられる取付板１０と、パチンコ玉の通過を検出する検出スイッチ２４と、取付板１０に取り付けられ起立状態と傾斜状態とに変化可能な一対の開閉部材３０ａ，３０ｂと、該一対の開閉部材３０ａ，３０ｂにそれぞれ取り付けられる装飾部材である一対の羽根飾り３４ａ，３４ｂと、傾斜状態で受け入れたパチンコ玉を一方の開閉部材３０ａまたは３０ｂに向けて誘導する誘導底面３８を有する前面飾り３６と、前記開閉部材３０ａ，３０ｂを開閉させるための回転レバー４６と、前後作動することにより前記回転レバー４６を回転させるソレノイド４０と、から構成されている。
【００１３】
取付板１０の上部には、上下に貫通するスイッチ取付部１１が形成され、このスイッチ取付部１１には、取付板１０の裏面側からパチンコ玉が通過する通過穴を有する検出スイッチ２４が挿入され、挿入された後、係止爪１２により検出スイッチ２４の後端側方が係合されて取付板１０に固定される。そして、検出スイッチ２４がスイッチ取付部１１に取り付けられた状態においては、パチンコ玉が検出スイッチ２４の通過穴を通過し得るようになっている。また、取付板１０の下部には、パチンコ玉の取入口である玉入口１３が穿設され、この玉入口１３の下部には、玉入れ口１３から取り入れられたパチンコ玉を遊技盤２の後方へ誘導する後方誘導部１５が玉入口１３から後方に向かって形成されている。同じく玉入口１３の下部に、後述する誘導底面３８を下方から支持するための支持片１４が玉入口１３から前方に向かって形成されている。なお、後方誘導部１５の中心には、パチンコ玉をスムーズにパチンコ遊技機１内に導入するための誘導突片１６が設けられている。
【００１４】
また、前記一対の開閉部材３０ａ，３０ｂの間であって一方の開閉部材３０ａの軸支部近傍には、誘導突起２１が取付板１０から突設されている。この誘導突起２１は、傾斜状態で受け入れたパチンコ玉を他方の開閉部材３０ｂに向けて誘導するものである。なお、始動入賞装置５は、図１に示すような遊技盤２の中央部に限らず、遊技盤２上の様々な位置に設置される可能性があり、始動入賞装置５の設置位置によっては、始動入賞装置５に対するパチンコ玉の流れが始動入賞装置５の右側に集中する場合と左側に集中する場合とがある。このため、どちらの場合でも誘導突起２１の効果を引き出せるよう、始動入賞装置５の設置位置に応じて、誘導突起２１は一方の開閉部材３０ａの軸支部近傍に限らず、他方の開閉部材３０ｂの軸支部近傍に突設しても良い。
【００１５】
更に、取付板１０の玉入口１３の両側方には止め穴２２ａ，２２ｂがそれぞれ穿設されており、この止め穴２２ａ，２２ｂに、前面飾り３６の裏面に装着された軸支ピン３７ａ，３７ｂの後端部がそれぞれ挿入されるものである。この軸支ピン３７ａ，３７ｂを開閉部材３０ａ，３０ｂの軸支穴３３ａ，３３ｂにそれぞれ挿通し、止め穴２２ａ，２２ｂに軸支ピン３７ａ，３７ｂの後端部を挿入固定することにより、開閉部材３０ａ，３０ｂ及び前面飾り３６が取付板１０に装着されることになる。開閉部材３０ａ，３０ｂ及び前飾り３６を取付板１０に装着した後、取付板１０の玉入口１３の左右両側方に穿設された取付穴２５ａ，２５ｂに図示しない取付ネジを挿通し、該取付ネジを前面飾り３６の誘導底面３８の先端部に穿設された止着穴３９ａ，３９ｂに螺着することにより、前面飾り３６が取付板１０に固定される。
【００１６】
前面飾り３６の裏面下部には、傾斜状態で受け入れたパチンコ玉を後方へ向けて誘導する誘導底面３８が円弧状に形成されている。この誘導底面３８は、図５に示すように、中心線を挟んで後述する誘導突起２１が設けられていない側に位置する大半径誘導底面３８ｂの曲面半径が、中心線を挟んで誘導突起２１が設けられている側に位置する小半径誘導底面３８ａの曲面半径よりも大きく形成されている。なお、前述のように誘導突起２１を他方の開閉部材３０ｂの軸支部近傍に突設した場合には、誘導底面３８の曲面半径は、誘導突起２１を一方の開閉部材３０ａの軸支部近傍に突設した場合とは逆で、中心線を挟んで左側を大半径誘導底面３８ｂとし、中心線を挟んで右側を小半径誘導底面３８ａとすることが望ましい。
【００１７】
また、開閉部材３０ａ，３０ｂ及び前面飾り３６が取付板１０に装着された際、開閉部材３０ａ，３０ｂの下端にそれぞれ固着された連結ピン３１ａ，３１ｂが、取付板１０の玉入口１３の側方に穿設された円弧状の連結穴２０ａ，２０ｂにそれぞれ挿入される。この連結穴２０ａ，２０ｂは、挿入された連結ピン３１ａ，３１ｂの可動範囲を規制するものであると同時に、一対の開閉部材３０ａ，３０ｂの開閉角度を決定するものである。すなわち、一対の開閉部材３０ａ，３０ｂの開閉動作は、後述する回転レバー４６の回転動作により連結ピン３１ａ，３１ｂが上下動することで行われるものであるため、連結穴２０ａ，２０ｂの円周方向の両端面に連結ピン３１ａ，３１ｂが当接し停止する位置で開閉部材３０ａ，３０ｂも停止し、開閉角度が決定することとなる。なお、開閉部材３０ａ，３０ｂには挿通穴３２ａ，３２ｂが穿設されており、該挿通穴３２ａ，３２ｂに羽根飾り３４ａ，３４ｂに形成された取付ボス３５ａ，３５ｂを前方から挿入して裏面でビス止めすることにより、羽根飾り３４ａ，３４ｂが開閉部材３０ａ，３０ｂに固定される。このように開閉部材３０ａ，３０ｂを装飾する羽根飾り３４ａ，３４ｂが着脱自在に装着し得るので、羽根飾り３４ａ，３４ｂの形状や模様を変えることにより全く異なった印象の始動入賞装置５とすることができる。
【００１８】
また、連結穴２０ａ，２０ｂに挿入された連結ピン３１ａ，３１ｂは、取付板１０の裏面で回転レバー４６に形成された係合凹部４８ａ，４８ｂにそれぞれ挿入されている。この回転レバー４６は、回転レバー４６の軸支穴４７及び取付板１０の裏面側に形成された軸穴１８に軸ピン１９を挿通された後、軸ピン１９先端側に設けられた溝に図示しないＥリングを嵌着することにより、取付板１０に回転自在に取り付けられている。この回転レバー４６が回転中心で回転することにより係合凹部４８ａ，４８ｂが上下動するため、係合凹部４８ａ，４８ｂに挿入された連結ピン３１ａ，３１ｂも上下動することとなり、これにより前述のように一対の開閉部材３０ａ，３０ｂが軸支ピン３７ａ，３７ｂを中心にして開閉動作をする。
【００１９】
また、回転レバー４６の後方には、該回転レバー４６を回転動作させるためのプランジャ４３を電気的に作動させるソレノイド４０が装着されている。このソレノイド４０は、図示しない取付ネジにより取付部材４１に取り付けられた後、この取付部材４１を取付板１０背面に形成されたソレノイド取付片１７に固定することにより、取付板１０に装着される。なお、取付部材４１のソレノイド取付片１７への固定は、取付部材４１に穿設された取付穴４２に挿通した図示しない取付ネジによりされる。
【００２０】
また、回転レバー４６の中央部分には、図示しない凹部が形成されており、プランジャ４３をソレノイド４０に挿入し、取付部材４１によりソレノイド４０を取付板１０に装着した場合、この凹部には、プランジャ４３の先端部分が嵌め込まれるようになっている。また、プランジャ４３には、回転レバー４６とソレノイド４０との間に位置する部分に、スプリング４４が装着されている。このスプリング４４は、ソレノイド４０への通電を遮断した場合にプランジャ４３を外側へ押し出すためのものである。また、プランジャ４３先端部には、係合片４５が形成されており、この係合片４５は、プランジャ４３がソレノイド４０に吸引された際に回転レバー４６に係合し、回転レバー４６を回転動作させるものである。
【００２１】
上記のように構成された始動入賞装置５は、取付板１０の側方２箇所に穿設された取付穴２３に挿通した図示しないネジにより、遊技盤２の表面に装着される。
【００２２】
遊技盤２の表面に装着された始動入賞装置５において、ソレノイド４０を励磁しプランジャ４３を吸引させると、図３に示すように、吸引されたプランジャ４３の係合片４５によって回転レバー４６が時計方向に回転し、係合凹部４８ａ，４８ｂが上方に移動することにより連結ピン３１ａ，３１ｂが上方に持ち上げられる。連結ピン３１ａ，３１ｂが上方に持ち上げられることにより一対の開閉部材３０ａ，３０ｂが開放し、始動入賞装置５は傾斜状態になり、図３に示すようにパチンコ玉を受け入れることができる。
【００２３】
次に、傾斜状態からソレノイド４０への通電を遮断すると、ソレノイド４０の励磁が解除されるためプランジャ４３への吸引力がなくなり、スプリング４４によりプランジャ４３が外側へ押し出される。プランジャ４３が外側へ押し出されると、図４に示すように、回転レバー４６が反時計回りに回転し、係合凹部４８ａ，４８ｂが下方に移動することにより連結ピン３１ａ，３１ｂが下方に下がる。連結ピン３１ａ，３１ｂが下方に下がることにより一対の開閉部材３０ａ，３０ｂが閉塞し、始動入賞装置５は起立状態になり、パチンコ玉を受け入れることができなくなる。
【００２４】
以上、実施形態に係る始動入賞装置５の構造及び作用について説明してきたが、本実施形態における始動入賞装置５においては、図５に示すように、起立状態における一対の開閉部材３０ａ，３０ｂの先端間隔を、検出スイッチ２４を取り付けるスイッチ取付部１１の横幅寸法とほぼ同じ寸法となるように一対の開閉部材３０ａ，３０ｂを軸支したことにより、図７に示すように、一対の開閉部材３０ａ，３０ｂの先端とスイッチ取付部１１との間隔を大きくすることなく、傾斜状態でのスイッチ取付部１１の端面と開閉部材３０ａ，３０ｂとの間隔Ｂを十分にとることができ、パチンコ玉を容易に受け入れることができる。
【００２５】
また、本実施形態のように、一対の開閉部材３０ａ，３０ｂの先端間隔を検出スイッチ２４を取り付けるスイッチ取付部１１の横幅寸法とほぼ同じ寸法となるように一対の開閉部材３０ａ，３０ｂを軸支した場合には、開閉部材３０ａ，３０ｂの軸支部の内側の間隙がパチンコ玉の直径よりもかなり大きくなってしまう（ただし、パチンコ玉の直径の２倍より小さい）ため、図８に示すように、左右の開閉部材３０ａ，３０ｂから同時に２つのパチンコ玉が受け止められたときには、２つのパチンコ玉が開閉部材３０ａ，３０ｂの下端部に挟まれて玉詰まりを生じてしまうおそれがある。このため、本実施形態における始動入賞装置５においては、図５に示すように、一対の開閉部材３０ａ，３０ｂの間であって傾斜状態で受け入れたパチンコ玉を一方の開閉部材３０ａに向けて誘導する誘導突起２１を一方の開閉部材３０ａの軸支部近傍に突設したことにより、２個のパチンコ玉が左右方向から同時に始動入賞装置５に入賞した場合、図７に示すように誘導突起２１が突設された側のパチンコ玉が、誘導突起２１が突設されていない側のパチンコ玉の上部に載置した段差状となるため、開閉部材３０ａ，３０ｂ内で２つのパチンコ玉が玉詰まりとなることはない。なお、誘導突起２１は、他方の開閉部材３０ｂの軸支部近傍に突設してもよい。
【００２６】
更に、本実施形態のように、一対の開閉部材３０ａ，３０ｂの間であって傾斜状態で受け入れたパチンコ玉を一方の開閉部材３０ａ向けて誘導する誘導突起２１を一方の開閉部材３０ａの軸支部近傍に突設した場合において、図６の二点鎖線で示すように誘導底面３８の中心線を挟んで誘導突起２１が設けられていない側の曲面半径を、中心線を挟んで誘導突起２１が設けられている側の曲面半径と同じ寸法で形成した場合には、誘導突起２１が突設された側のパチンコ玉が、誘導突起２１が突設されていない側のパチンコ玉の上部に載置した段差状となったとき、上部のパチンコ玉からの圧力によって下部のパチンコ玉が誘導底面３８に対してほぼ垂直方向に押しつけられるため、下部のパチンコ玉が誘導底面３８に沿って逃げることが難しく、玉入口１３へ導入され難くなるというおそれがある。このため、下部のパチンコ玉が上部のパチンコ玉の圧力によって誘導底面３８に押しつけられても誘導底面３８に沿って逃げ易くなるよう、本実施形態における始動入賞装置５においては、図５に示すように、一対の開閉部材３０ａ，３０ｂの下方に設けられ且つ前記傾斜状態で受け入れたパチンコ玉を後方へ向けて誘導する誘導底面３８を円弧状に形成すると共に、中心線を挟んで誘導突起２１が設けられていない側の曲面半径を、中心線を挟んで誘導突起２１が設けられている側の曲面半径よりも大きく形成したことにより、図７に示すように、始動入賞装置５に入賞し誘導突起２１が設けられていない側で合流したパチンコ玉をスムーズに玉入口１３へ導入することができる。
【００２７】
なお、上記した実施形態においては、入賞装置５を変動表示装置３に対する始動機能を有する始動入賞装置５として説明したが、必ずしも始動機能を有するものとして使用する必要はなく、他の役物を起動するための入賞装置として使用しても良い。また、その配置位置も、遊技盤２のいずれの位置でも良い。
【００２８】
【発明の効果】
以上、説明したところから明らかなように、請求項１の発明においては、ソレノイドの駆動力によりパチンコ玉を受け入れない起立状態とパチンコ玉を受け入れることができる傾斜状態とに変化可能な一対の開閉部材と、該一対の開閉部材の先端上部に配置されてパチンコ玉の通過を検出する検出スイッチと、を備えたパチンコ遊技機の入賞装置において、前記起立状態における前記一対の開閉部材の先端間隔を、前記検出スイッチを取り付けるスイッチ取付部の横幅寸法とほぼ同じ寸法となるように前記一対の開閉部材を軸支すると共に、前記一対の開閉部材の間であって前記傾斜状態で受け入れたパチンコ玉を一方の開閉部材に向けて誘導する誘導突起をいずれか一方の開閉部材の軸支部近傍に突設し、さらに、前記一対の開閉部材の下方に設けられ且つ前記傾斜状態で受け入れたパチンコ玉を後方へ向けて誘導する誘導底面を円弧状に形成すると共に、中心線を挟んで前記誘導突起が設けられていない側の曲面半径を、中心線を挟んで前記誘導突起が設けられている側の曲面半径よりも大きく形成したことを特徴とするものである。このように構成することにより、一対の開閉部材の先端とスイッチ取付部との間隔を大きくすることなく、傾斜状態でのスイッチ取付部の端面と開閉部材との間隔を十分にとることができ、パチンコ玉を容易に受け入れることができる。
【００２９】
また、２個のパチンコ玉が左右方向から同時に入賞装置に入賞した場合、誘導突起が突設された側のパチンコ玉が、誘導突起が突設されていない側のパチンコ玉の上部に載置した段差状となるため、開閉部材内で２つのパチンコ玉が玉詰まりとなることはない。なお、誘導突起は、他方の開閉部材の軸支部近傍に突設しても良い。
【００３０】
更に、入賞装置に入賞し誘導突起が設けられていない側で合流したパチンコ玉をスムーズに玉入口へ導入することができる。
【図面の簡単な説明】
【図１】  実施形態に係る始動入賞装置を装着したパチンコ遊技機の正面図である。
【図２】  始動入賞装置の各部品の斜視図である。
【図３】  パチンコ玉を受け入れ可能な状態における始動入賞装置の側方の断面図である。
【図４】  パチンコ玉を受け入れない状態における始動入賞装置の側方の断面図である。
【図５】  起立状態における始動入賞装置において、誘導底面を付け根部分で切断した正面図である。
【図６】  誘導底面の曲面半径の違いによる、上下のパチンコ玉の状態の違いを表す誘導底面の部分拡大図である。
【図７】  傾斜状態におけるパチンコ玉が入賞した場合の始動入賞装置において、誘導底面を付け根部分で切断した正面図である。
【図８】  傾斜状態におけるパチンコ玉が入賞した場合の誘導突起が設けられていない入賞装置において、誘導底面の付け根部分で切断した正面図である。
【図９】  従来の始動入賞装置に検出スイッチを設置した場合の起立状態を示す正面図である。
【図１０】  従来の始動入賞装置に検出スイッチを設置した場合の傾斜状態を示す正面図である。
【符号の説明】
１  パチンコ遊技機
２  遊技盤
３  変動表示装置
５  始動入賞装置
６  変動入賞球装置
１０  取付板
１１  スイッチ取付部
１３  玉入口
２０ａ  連結穴
２０ｂ  連結穴
２１  誘導突起
２４  検出スイッチ
３０ａ  開閉部材
３０ｂ  開閉部材
３１ａ  連結ピン
３１ｂ  連結ピン
３４ａ  羽根飾り
３４ｂ  羽根飾り
３６  前面飾り
３８  誘導底面
３８ａ  小半径誘導底面
３８ｂ  大半径誘導底面
４０  ソレノイド
４１  取付部材
４３  プランジャ
４５  係合片
４６  回転レバー
４８ａ  係合凹部
４８ｂ  係合凹部
【図１】
0004315500.tif 000002
【図２】
0004315500.tif 000003
【図３】
0004315500.tif 000004
【図４】
0004315500.tif 000005
【図５】
0004315500.tif 000006
【図６】
0004315500.tif 000007
【図７】
0004315500.tif 000008
【図８】
0004315500.tif 000009
【図９】
0004315500.tif 000010
【図１０】
0004315500.tif 000011